(57)【特許請求の範囲】
【請求項１】
略球形の第１形状にあるときユーザの転がし操作に応じて走行面上を転がって移動し、外部磁性部材が配置された位置で第２形状に変形する玩具であって、前記玩具は、
下部に孔部を備え前記第１形状及び前記第２形状の何れにおいても略球形形状を維持して内部に収容空間を構成する外部部材と、
前記孔部を介して前記収容空間の内外の間を移動可能に配置されて前記収容空間内にあるときは下面が前記外部部材のおもて面と整合して前記玩具が前記略球形の形状を構成するように配置された下部部材と、
係止手段と、
前記下部部材内に配置された磁性体と、
前記下部部材を前記外部部材の前記収容空間から外方に付勢するコイルばねと、
を含み、
前記下部部材は、前後及び左右に側壁を有して内部に略直方体形状の空間を有し、突出部材と、該突出部材を下部部材から突出させるように付勢する弾性部材と、を内蔵し、該突出部材を外方へ突出可能な大きさに形成された側面開口が前記左右の側壁に形成され、
前記外部部材の収容空間は、側面を前記下部部材の左右を規制する摺動壁と下部部材の前後に配される平面が対抗する２枚の平板とにより形成し、前記下部部材の前記側面開口を収容空間の側面である摺動壁で塞ぐことによって前記突出部材を付勢する弾性部材の弾性力に抗して前記突出部材を前記下部部材内に保持し、
前記磁性体は外部磁性部材との間に磁力が作用したときは、該下部部材が前記コイルばねによって外部部材から突出すると前記摺動壁で塞がれていた下部部材の側面開口が開放されて前記突出部材が前記下部部材の側面開口から飛び出すように構成され、
前記磁性体との間で磁性的に反応する前記外部磁性部材が前記磁性体に近接して存在していないときは、前記コイルばねの弾性力に抗して前記係止手段により前記下部部材が前記収容空間内に保持されることによって前記外部部材と前記下部部材とで転がし操作可能な外形形状を維持し、前記外部磁性部材との間で前記磁性体に磁力が作用したときは、前記係止手段が解除されて前記下部部材が前記孔部から飛び出すように構成されてなり、前記玩具は、前記第１形状にあるとき、前記下部部材が前記収容空間内に収容されており、ユーザの転がし操作に応じて前記略球形の形状を維持して走行面上を転がって移動するように構成されており、転がって走行面上を移動する前記玩具が、前記外部磁性部材との間で磁力が作用した位置で転がり動作を停止し、前記磁力が作用して前記係止手段が解除され、前記下部部材は解除された前記弾性力によって付勢されて前記孔部から飛び出し、前記外部部材を押し上げる動作を実行するように構成されてなることを特徴とする玩具。
【請求項２】
前記磁性体は永久磁石であり、前記外部磁性部材は鉄板である請求項１に記載の玩具。
【請求項３】
前記係止手段は、前記磁性体と一体的に上下方向に移動する可動部材と、該可動部材の上下移動に連動して回動する回動部材と、下端を外方へ弾性変形可能な係止部材と、から構成され、前記可動部材は前記磁性体を下側として下部部材の下面近傍内側において上下方向に移動可能に配置され、前記回動部材は前記可動部材と係合するように可動部材の上方において下部部材に枢設され、前記係止部材は上端が外部部材の上端近傍に固定されていることを特徴とする請求項１又は請求項２に記載の玩具。
【請求項４】
玩具が、前記第２形状から前記第１形状へと復元自在に構成され、前記第２形状から前記第１形状へと復元させた場合に、前記係止手段による係止状態が実現され、前記第１形状が再度維持されるように構成されてなることを特徴とする請求項１乃至請求項３の何れかに記載の玩具。
【請求項５】
前記外部部材はキャラクタの頭部を構成し、前記下部部材はキャラクタの下部を構成することを特徴とする請求項１乃至請求項４の何れかに記載の玩具。
【発明の詳細な説明】
【技術分野】
【０００１】
本発明は、玩具に関し、特に、磁力の作用により変形する玩具に関する。
【背景技術】
【０００２】
従来、磁力の作用により各種遊戯効果を発揮させる玩具が提案され、実用化されている。例えば、外部構造体と、外部構造体の内部に収容される内部構造体と、玩具の内部に可動的に配置された磁性体と連動して作動する係止手段と、を備え、磁力の作用により第１の形状から第２の形状へ変形する玩具が提案されている（特許文献１参照）。この玩具は、磁力が作用しない場合には、外部構成体を構成する複数の構成部材が付勢手段の力に抗して係止手段により球形形状などの第１の形状が維持され、一方、磁力が作用した場合には、磁性体の移動に連動して係止手段による係止状態が解除されることで球形形状に折り畳まれていた外部構造体の複数の構成要素間の結合が解除され上方に広がることによって第１の形状からキャラクタの形状などの第２の形状へと変形するものである。
【０００３】
文献１記載の玩具においては、磁力展開式の玩具を転動自在とすることができるので、玩具の商品価値を格段に向上させ、ユーザに新鮮な驚きや知的興奮を与えることが可能となる。
【特許文献１】特開２００７−２１５８９８号公報
【発明の開示】
【発明が解決しようとする課題】
【０００４】
特許文献１の発明は、玩具を転動走行させるなどして走行面に配置された磁石に近接させたとき、玩具に磁力が作用し、転動自在な第１の形状で走行している玩具が瞬時に走行停止し、第１形状時隠れていたキャラクタが現れる第２の形状に玩具を変形させるものである。しかしながら、この特許文献１の発明は、変形の際に下方部材を台座として複数部材で構成された上方部材を展開させる構成をとっているため、玩具の構造は複雑で且つ部品点数も多く、第２形状から第１形状に戻すときの組み立て手順も複雑となり幼児に扱いづらい難点があった。又、この特許文献１の発明は、玩具が水平方向に展開するもので上下方向の変化に乏しいといった問題点もあった。
【０００５】
本発明は、このような従来技術の問題点に鑑みてなされたものであり、転動自在の磁力展開式玩具に特に上下方向への動きを大きくしたダイナミックな変形を実現させると共に変形前の球形状態に戻す手順を簡単にすることにより、対象ユーザをより低年齢の幼児にも拡大し玩具の商品価値をより向上させ、ユーザに新鮮な驚きや知的興奮を与えると共に、製品の部品点数を抑えてシンプルな構造を採用することにより、製造コスト及び製造工数を低減できる玩具を提供することを目的としている。
【課題を解決するための手段】
【０００６】
前記課題を解決するため、本発明に係る玩具は、略球形の第１形状にあるときユーザの転がし操作に応じて走行面上を転がって移動し、外部磁性部材が配置された位置で第２形状に変形する玩具であって、前記玩具は、下部に孔部を備えて前記第１形状及び前記第２形状の何れにおいても略球形形状を維持し且つ内部に収容空間を構成する外部部材と、前記孔部を介して前記収容空間の内外の間を移動可能に配置されることにより前記収容空間内にあるときは下面が前記外部部材のおもて面と整合して前記玩具が前記略球形の形状を構成するように配置された下部部材と、係止手段と、前記下部部材内に配置された磁性体と、弾性部材と、を含み、前記磁性体との間で磁性的に反応する前記外部磁性部材が前記磁性体に近接して存在していないときは、前記弾性部材の弾性力に抗して前記係止手段により前記下部部材が前記収容空間内に保持されることによって前記外部部材と前記下部部材とで転がし操作可能な外形形状を維持し、前記外部磁性部材との間で前記磁性体に磁力が作用したときは、前記係止手段が解除されて前記下部部材が前記孔部から飛び出すように構成されてなり、前記玩具は、前記第１形状にあるとき、前記下部部材が前記収容空間内に収容されており、ユーザの転がし操作に応じて前記略球形の形状を維持して走行面上を転がって移動するように構成されており、転がって走行面上を移動する前記玩具が、前記外部磁性部材との間で磁力が作用した位置で転がり動作を停止し、前記磁力が作用して前記係止手段が解除され、前記下部部材は解除された前記弾性力によって付勢されて前記孔部から飛び出し、前記外部部材を押し上げる動作を実行するように構成されてなるものである。
【０００７】
そして、前記磁性体は永久磁石であり、前記外部磁性部材は鉄板である。
又、前記下部部材は、突出部材と、該突出部材を下部部材から突出させるように付勢する弾性部材と、を有し、この下部部材には突出部材を外方へ突出可能な大きさに形成された側面開口が形成され、前記外部部材の収容空間は、側面を摺動壁として形成し、前記下部部材の側面開口を収容空間の側面である摺動壁で塞ぐことによって前記突出部材を付勢する弾性部材の弾性力に抗して前記突出部材を前記下部部材内に保持し、前記外部磁性部材との間で前記磁性体に磁力が作用したときは、該下部部材が外部部材から突出することによって前記摺動壁で塞がれていた下部部材の側面開口が開放されて前記突出部材が前記下部部材の側面開口から飛び出すように構成されていることもある。
【０００８】
そして、前記係止手段は、前記磁性体と一体的に上下方向に移動する可動部材と、該可動部材の上下移動に連動して回動する回動部材と、下端を外方へ弾性変形可能な係止部材と、から構成され、前記可動部材は前記磁性体を下側として下部部材の下面近傍内側において上下方向に移動可能に配置され、前記回動部材は前記可動部材と係合するように可動部材の上方において下部部材に枢設され、前記係止部材は上端が外部部材の上端近傍に固定されているものである。
【０００９】
更に、玩具が、前記第２形状から前記第１形状へと復元自在に構成され、前記第２形状から前記第１形状へと復元させた場合に、前記係止手段による係止状態が実現され、前記第１形状が再度維持されるように構成されているものである。
そして、前記外部部材はキャラクタの頭部を構成し、前記下部部材はキャラクタの下部を構成することもある。
【発明の効果】
【００１０】
本発明によれば、転動自在の磁力展開式玩具に特に上下方向への動きを大きくしたダイナミックな変形を実現させると共に変形前の状態に戻す手順の簡単化を図ることによって対象ユーザをより低年齢の幼児にも拡大し、玩具の商品価値をより向上させ、ユーザに新鮮な驚きや知的興奮を与えると共に、製品の部品点数を抑えてシンプルな構造を採用することにより、製造コスト及び製造工数を低減できる玩具を提供することができるものである。
【図面の簡単な説明】
【００１１】
図１は本発明の実施例に係る玩具の変形動作を示す図。
図２は本発明の実施例に係る玩具の外部部材の正面図。
図３は本発明の実施例に係る玩具の下部部材の正面図。
図４は本発明の実施例に係る玩具の可動部材及び回動部材の斜視図。
図５は本発明の実施例に係る玩具の変形前の状態（第１形状）を示す断面図。
図６は本発明の実施例に係る玩具の変形後の状態（第２形状）を示す断面図。
図７は本発明の実施例に係る玩具の走行装置の平面図及び正面図。
【符号の説明】
【００１２】
１ 玩具                     ２ 外部部材
２ａ 前側外部部材           ２ｂ 後側外部部材
３ 下部部材                 ３ａ 前側下部部材
３ｂ 後側下部部材           ４ 突出部材
５ 鉄板                     ６ 曲面部
１０ 孔部                   １１ 永久磁石
１２ コイルばね             １３ 可動部材
１３ａ 中央円板             １３ｂ 嵌合部
１３ｃ 下方円板             １３ｄ 嵌合凹部
１４ 回動部材               １４ａ 鉤部
１４ｂ 透孔                 １４ｃ 嵌合凸部
１５ 収納空間
２０ コイルばね             ２１ 係止部材
２１ａ 鉤部                 ２２ 摺動壁
２３ａ 螺子部               ２３ｂ 透孔部
２４ 棒材                   ２５ 直方体部
２５ａ 矩形貫通孔           ２６ 矩形突起部
２７ 孔部縁端               ２８ 止め板
２９ 平板
３０ 側面開口               ３１ 円形開口
３１ａ 開口縁端部           ３２ 軸
３３ 突起部                 ３４ａ 螺子部
３４ｂ 透孔部               ３５ 軸
３６ 弾性部材支持板         ３７ 平板
３８ 上面開口
４０ ねじりコイルばね
５０ 中央空間部             ５１ 側方空間部
５２ 下方空間部
６０ 走行装置               ６１ 回転板
６１ａ 走行面               ６１ｂ 半球部
６１ｃ 図柄                 ６２ 外壁
６３ レバー                 ６３ａ 入口孔
６３ｂ 出口孔               ６４ 載置台
６５ カム                   ６６ 従動部
６７ ラック                 ６８ 第１歯車
６９ 第２歯車
【発明を実施するための最良の形態】
【００１３】
本発明を実施するための最良の形態の玩具１は、図１（ａ）に示すように、外部部材２が第１形状及び第２形状の何れにおいても略球形を維持する外殻を構成し、外殻内に下部部材３を収容する空間が構成され、外殻の下部に下部部材３が前記空間の内外の間を移動可能に構成された孔部１０が設けられており、下部部材３が外部部材２内に収容された略球形の第１形状にあるときは、ユーザの転がし操作に応じて走行装置６０（図７参照）などの走行面６１ａ上を略球形の形状を維持した状態で転がって移動し、鉄板５等の外部磁性部材が配置された位置で下部部材３が外部部材２の孔部１０から飛び出して、図１（ｂ）に示すように、外部部材２を押し上げた第２形状に変形する玩具１である。
【００１４】
そして、この玩具１は、図１乃至図３に示すように、外部部材２と、下部部材３と、突出部材４と、係止手段と、磁性体と、下部部材３を付勢する弾性体と、突出部材４を付勢する弾性体とを含み、外部部材２は、下部に略矩形状の孔部１０を備え第１形状及び第２形状の何れにおいても略球形形状を維持して内部に略直方体形状の収容空間１５を構成し、下部部材３は、孔部１０を介して収容空間１５の内外の間を収容空間１５の側面である摺動壁２２に沿って上下方向に摺動可能に配置され、収容空間１５内にあるときは下面である曲面部６が外部部材２のおもて面と整合して玩具１が略球形の形状を構成するように配置された略直方体形状とされ、突出部材４は、下部部材３内に枢設され下部部材３が外部部材２の収容空間１５内にあるときは摺動壁２２によって下部部材３に収容される棒状とされ、磁性体は、下部部材３内に配置される円板状の永久磁石１１とされ、下部部材３を付勢する弾性体は、収容空間１５内の中央付近に配置されて外部部材２及び下部部材３を夫々離隔する方向へ付勢するコイルばね２０とされ、突出部材４を付勢する弾性体は、突出部材４の回転中心である軸３５に嵌挿されて突出部材４を外方へ付勢するねじりコイルばね４０とされるものである。
【００１５】
尚、係止手段は、図４に示す可動部材１３と回動部材１４及び図５に示す係止部材２１から構成され、可動部材１３は弾性力或いは磁力によって磁性体である永久磁石１１と一体的に上下方向に移動し、回動部材１４は可動部材１３の上下移動に連動して回動するものとし、係止部材２１は下端を外方へ弾性変形可能な板ばねから成るものであり、可動部材１３は磁性体である永久磁石１１を下側として下部部材３の下面近傍内側において上下方向に移動可能に配置され、回動部材１４は可動部材１３と係合するように可動部材１３の上方において下部部材３に枢設され、係止部材２１は上端が外部部材２の上端近傍に固定されているものである。
【００１６】
又、この玩具１は、図３に示したように、下部部材３の側面に突出部材４を外方へ突出可能な大きさに形成された側面開口３０を有している。
【００１７】
そして、この玩具１は、図５に示したように、磁性体である永久磁石１１との間で磁性的に反応する外部磁性部材としての鉄板５が永久磁石１１に近接して存在していないときは、下部部材３を付勢するコイルばね２０から成る弾性部材の弾性力に抗して係止手段により下部部材３が収容空間１５内に保持されると共に、突出部材４を付勢するねじりコイルばね４０から成る弾性部材の弾性力に抗して下部部材３の側面開口３０を収容空間１５の側面である摺動壁２２で塞ぐことによって突出部材４が下部部材３内に保持されることとなり、外部部材２と下部部材３とで転がし操作可能な略球形の外形形状を維持するように構成されている。
【００１８】
又、この玩具１は、図６に示すように、外部磁性部材である鉄板５との間で磁性体である永久磁石１１に磁力が作用したときは、係止手段による係止状態が解除されて下部部材３が摺動壁２２に沿って摺動して孔部１０から飛び出し、該下部部材３が飛び出すことによって摺動壁２２で塞がれていた下部部材３の側面開口３０が開放されて突出部材４が下部部材３の側面開口３０から外方へ突出するように構成されてなるものである。
【００１９】
更に、この玩具１は、第２形状から第１形状へと復元自在に構成され、第２形状から第１形状へと復元させた場合に、係止手段による係止状態が実現され、第１形状が再度維持されるように構成されているものである。
【００２０】
そして、走行面６１ａは、図７に示すように、周囲を外壁で囲われた円環状で中心軸を回転中心として回転するものであって、この走行面６１ａを有する走行装置６０は、走行面６１ａの下面の特定の複数箇所に外部磁性部材である鉄板５が配置されているものである。そして、第１形状にある玩具１が転がって移動する際、この走行面６１ａは緩やかに回転している。そして、第１形状の玩具１が走行面６１ａの下面に配置された鉄板５の真上を通過する際に、転動している玩具１の下部部材３の曲面部６に配置された磁性体である永久磁石１１が下面に位置して鉄板５と永久磁石１１とが近接すると、この玩具１は鉄板５と永久磁石１１との間に磁力が作用して転がり動作を停止すると共に係止手段が解除されて第２形状に変形することとなる。
【実施例１】
【００２１】
以下、本発明の実施例を図に基づいて詳説する。本発明に係る玩具１は、図１（ａ）、（ｂ）に示すように、略球形の第１形状にあるときユーザの転がし操作に応じて走行面上を転がって移動し、外部磁性部材が配置された位置で下部部材３が略球形状の外部部材２から突出した第２形状に変形する玩具１である。そして、この玩具１は、第１形状及び第２形状の何れにおいても略球形の外殻形状を維持する外部部材２と、略直方体形状の下部部材３と、棒状の突出部材４と、から構成されている。この外部部材２は、下部に略矩形状の孔部１０を備え、外殻内部に略直方体形状の収容空間を構成するものである。又、下部部材３は、孔部１０を介して収容空間の内外の間を上下方向に移動可能に配置されるものである。そして、この下部部材３は、収容空間内にあるときは下面である曲面部６が外部部材２のおもて面と整合して玩具１が略球形の形状を構成する（即ち、玩具１のおもて面が略球面の形状を構成する）ように配置されているものである。又、突出部材４は、下部部材３の左右側面から外方に突出可能に配設されている。そして、この玩具１は、外部部材２がキャラクタの頭部、下部部材３がキャラクタの下部である胴体部、突出部材４がキャラクタの腕部を表現するものである。即ち、外部部材２は、下部部材３を収容する外殻形状であると共に、第２形状においては下部部材３の上方に配置されてキャラクタの頭部を表現する上部部材でもある。尚、各部材２〜４は非磁性体である樹脂等で形成することが好ましい。又、外部部材２が略球形となっていることを利用して人気キャラクタの顔を描くことで低年齢の幼児にも親しまれるものとすることができる。
【００２２】
そして、この外部部材２は、図２（ａ）、（ｂ）に示すように、夫々が略対称形状となるように外部部材２の前後幅方向における中心面において二分した前側外部部材２ａと後側外部部材２ｂとを対向させて一体として形成されるものである。本実施例においては、図２（ａ）に示す前側外部部材２ａ及び図２（ｂ）に示す後側外部部材２ｂの左右端近傍には、夫々が対向するように円筒部材が設けられている。そして、前側外部部材２ａの円筒部材は、内面に螺子溝が形成された螺子部２３ａとしている。又、後側外部部材２ｂの円筒部材は、螺子の径よりも僅かに大きな径の孔が穿設された透孔部２３ｂとしている。そして、この外部部材２は、螺子を後側外部部材２ｂの後方から透孔部２３ｂに嵌挿して、その螺子を前側外部部材２ａの螺子部２３ａに螺着することで、前側外部部材２ａと後側外部部材２ｂを一体とすることにより形成されるものである。
そして、この外部部材２は、下部部材３を外部部材２から突出させるように付勢する弾性部材であるコイルばね２０と、該コイルばね２０の弾性力に抗して下部部材３及び外部部材２を係止する係止手段の一つである係止部材２１と、下部部材３から突出部材４が突出することを防止すると共に下部部材３を外部部材２の収容空間１５に沿って摺動させる摺動壁２２等を内部に有している。
【００２３】
又、コイルばね２０は、外部部材２の上端近傍に固定される直方体部２５の下面から外部部材２の中心付近まで垂下されるように延在する棒材２４に嵌合されている。更に、このコイルばね２０は、上端及び上端近傍が直方体部２５及び棒材２４に接着固定されている。これにより、このコイルばね２０は、外部部材２の中心において上下方向に配置される。又、このコイルばね２０は、下部部材３の上面の開口から挿入されて、後述の下部部材３の弾性部材支持板３６に下端が支持されることにより、外部部材２と下部部材３とを離隔させるように夫々の部材２，３を弾性的に付勢する。
【００２４】
係止手段としての係止部材２１はコイルばね２０の左右外方において、直方体部２５の左右両端から棒材２４と平行となるように（即ち、直方体部２５の左右両端から垂下されるように）延在されている平板部材である。又、この係止部材２１は、下端内側に鉤部２１ａが形成されている。そして、直方体形状の直方体部２５は、この係止部材２１及び棒材２４の上方に位置しており、矩形状の貫通孔である矩形貫通孔２５ａを有して断面ロ字状を呈している。そして、該矩形貫通孔２５ａに、前側外部部材２ａ及び後側外部部材２ｂの上端近傍における内壁から前後方向に突出して形成される矩形突起部２６が嵌合している。これにより、外部部材２の内部の所定位置に係止部材２１及びコイルばね２０が配置される。尚、本実施例において、前側外部部材２ａの矩形突起部２６は、予め矩形貫通孔２５ａに嵌挿されて接着固定されているため、前側外部部材２ａと一体となっている。したがって、前側外部部材２ａ及び後側外部部材２ｂを対向させて接合する際に、後側外部部材２ｂの矩形突起部２６を前側外部部材２ａと一体となった直方体部２５の矩形貫通孔２５ａに容易に嵌着させることができる。
【００２５】
摺動壁２２は、前述の係止部材２１の更に外方において、各々の平面が対向するように配置されているものである。そして、この摺動壁２２は、両側の摺動壁２２の内側を収容空間１５として下部部材３を収容するものである。又、この摺動壁２２は、下部部材３の上下移動に連動して回動する突出部材４の側方外面の一部と接触して突出部材４の回動動作を制限しつつ、下部部材３を摺動させるように移動可能とするものである。
【００２６】
又、平板２９が、直方体部２５と摺動壁２２との間において、各々の平面が対向するように前側外部部材２ａ及び後側外部部材２ｂの内壁に設けられている。この平板２９は、孔部１０の縁である孔部縁端２７の前後の辺から連設されている。又、この平板２９には、止め板２８が該平板２９の上端近傍より直角に延設されている。この止め板２８は、下部部材３を外部部材２に収容する際に、下部部材３の上端面と接触することにより、下部部材３の上方移動範囲を制限するものである。
【００２７】
そして、この外部部材２の外殻内部には、前述の平板２９と摺動壁２２と止め板２８と孔部縁端２７によって、下部部材３を収容することのできる略直方体空間である収容空間１５が形成されている。
【００２８】
これにより、下部部材３は、前後を平板２９の内側端面により規制され、左右を摺動壁２２に規制されて、略直方体空間である収容空間１５の内外の間を上下方向に摺動するように移動することができる。尚、係止部材２１及びコイルばね２０は、後述の下部部材３の上面開口より挿入することができる。
【００２９】
尚、本実施例において、摺動壁２２と止め板２８は、前側外部部材２ａと後側外部部材２ｂが接合して外部部材２を形成した際、外部部材２の前後幅方向の中心面に対して略対称形状となるように後側外部部材２ｂ側に突出するように前側外部部材２ａにのみ設けている。
【００３０】
又、前側外部部材２ａ及び後側外部部材２ｂの接合を確実且つ容易にすることのできるように、前側外部部材２ａ及び後側外部部材２ｂの円周縁部や、螺子部２３ａ及び透孔部２３ｂの円周縁部の接合面に夫々が係合可能な段差を設けてもよい。
下部部材３は、図３（ａ）、（ｂ）に示すように略直方体形状であって、夫々が略対称形状となるように下部部材３の長手方向に沿って前後幅方向を二分した箱状の前側下部部材３ａと後側下部部材３ｂとから成るものである。そして、この下部部材３は、前側及び後側下部部材３ａ，３ｂを対向させて接合した後、螺子を後側下部部材３ｂの後方から挿入し螺着して前側及び後側下部部材３ａ，３ｂを一体とすることにより形成されるものである。尚、螺着部である螺子部３４ａ及び透孔部３４ｂは、前述した前側外部部材２ａ及び後側外部部材２ｂの螺子部２３ａ及び透孔部２３ｂと同様に形成され、図３（ａ）に示す前側下部部材３ａ及び図３（ｂ）に示す後側下部部材３ｂの左右下端近傍に配置されるものである。
【００３１】
尚、前側下部部材３ａ及び後側下部部材３ｂの接合を確実且つ容易にすることのできるように、下部部材３も前述の外部部材２と同様に、前側下部部材３ａ及び後側下部部材３ｂの外縁部や、螺子部３４ａ及び透孔部３４ｂの円周縁部の接合面に夫々が係合可能な段差を設けてもよい。
【００３２】
そして、前側下部部材３ａ及び後側下部部材３ｂを一体とした際に、下部部材３の内部には略直方体形状の空間が形成される。この空間は、外部部材２に取り付けられたコイルばね２０が配置される略直方体形状の中央空間部５０と、突出部材４が収容される略直方体形状の側方空間部５１と、後述する永久磁石１１及びコイルばね１２に起因する磁力及び弾性力によって可動する可動部材１３等が収容される下方空間部５２と、から構成されている。
【００３３】
この中央空間部５０は、外部部材２に取り付けられたコイルばね２０を収容する空間であり、下部部材３の中央上方に位置するものである。この中央空間部５０は、上方からコイルばね２０を挿入できるように、下部部材３の上面板に形成される上面開口３８を中央空間部５０の上面としている。又、この中央空間部５０は、下部部材３の前側内面及び後側内面と該内面に垂設される４枚の平板材を側面としている。更に、この中央空間部５０は、４枚の平板材と直交するように４枚の平板材の下端に設置される平板材である弾性部材支持板３６を下面としている。
【００３４】
尚、中央空間部５０の左右幅は、コイルばね２０の外径よりも僅かに大きくなるように形成されている。又、中央空間部５０の上下長さは、コイルばね２０が圧縮して収容することのできる長さに形成されている。そして、中央空間部５０の下面である弾性部材支持板３６は、コイルばね２０の下端を支持するものである。尚、弾性部材支持板３６の上方に調整板を接着するなどして、コイルばね２０が圧縮したときの長さを調整してもよい。この際、調整板は、下部部材３ａ，３ｂの接合を容易とするため、後側下部部材３ｂ又は前側下部部材３ａのどちらか一方において、対向する下部部材内へ突出するように設置することが好ましい。
【００３５】
尚、本実施例においては、下部部材３の左右幅方向の中央において、下部部材３の前後内面に平板３７が垂設されている。これにより、中央空間部５０の前後幅をコイルばね２０の外径よりも僅かに大きくなるように調整することができるため、コイルばね２０をスムーズに弾性部材支持板３６に案内することができると共に、コイルばね２０が収容されている状態において、コイルばね２０が前後方向に移動することを防止することもできる。
【００３６】
側方空間部５１は、前述の突出部材４及び係止部材２１を収容する空間であり、下部部材３の左右に位置するものである。この側方空間部５１は、下部部材３の側面及び前後面を形成する各平板と前述の中央空間部５０の左右面を形成する４枚の平板材とにより、略直方体形状に形成されるものである。又、この側方空間部５１は、上方から係止部材２１を挿入できるように、下部部材３の上面板に形成される上面開口３８を上面の一部としている。又、側方空間部５１は、突出部材４及び係止部材２１を収容可能な大きさに形成されている。そして、側方空間部５１の側面である下部部材３の側面板には、突出部材４の形状に合わせた側面開口３０が形成されている。これにより、側方空間部５１内に配置されている突出部材４が、下部部材３の左右上端近傍に垂設される軸３５を回転中心として左右外方へ回動できる。
【００３７】
尚、軸３５は、後側下部部材３ｂの内面から前側下部部材３ａに突出するように、後側下部部材３ｂに垂設されている。そして、この軸３５は、前側下部部材３ａ及び後側下部部材３ｂを接合する際、軸３５と対向する位置に設けられた前側下部部材３ａの円筒状凹部に嵌挿される。又、軸３５には、棒状の突出部材４の一端に形成される透孔と共に弾性部材であるねじりコイルばね４０が、突出部材４を下部部材３から左右外方に突出させるように付勢可能に嵌挿されている。
【００３８】
下方空間部５２は、下部部材３の下方に位置するものであり、中央空間部５０及び側方空間部５１を除く部分で、後述の可動部材１３や回動部材１４が移動或いは回動可能な空間として形成されているものである。尚、下方空間部５２の下面である曲面形状の下部部材３の下面板には、円板状の永久磁石１１の外径と略同径の円形開口３１が設けられている。そして、この円形開口３１の上方に永久磁石１１が可動部材１３と共に上下方向に移動可能に配置されている。したがって、永久磁石１１との間で磁性的に反応する鉄板などの外部磁性部材によりこの永久磁石１１が吸引されると、この永久磁石１１は、下面が下部部材３の下面板の一部を形成して、外部磁性部材に吸着することとなる。
【００３９】
又、円形開口３１の縁部近傍には、円形開口３１よりも径の大きい円環状の上部開口を形成する開口縁端部３１ａを備え、段差が形成されている。そして、この開口縁端部３１ａの上面にコイルばね１２の下端が接触するように、コイルばね１２が下方空間部５２に収容されている。即ち、このコイルばね１２は、下端を開口縁端部３１ａに接触させ、上端を後述する可動部材１３の中央円板に接触させて可動部材１３に弾性力を作用させることによって上方に可動部材１３を付勢することができる。
【００４０】
そして、下部部材３の下面は、略球形の外形形状の一部（つまり、略球面の一部）を構成する曲面部６として形成されている。即ちこの玩具１は、図１（ａ）に示したように、下部部材３が外部部材２の収容空間１５内にあるときは、曲面部６が外部部材２のおもて面と整合して当該玩具１が略球形の形状である第１形状を形成するように構成されている。
【００４１】
又、下部部材３は、図３（ａ）に示すように、前述の外部部材２の係止部材２１と係合可能な係止手段としての回動部材１４及び可動部材１３と、永久磁石１１と、コイルばね１２とを備え、回動部材１４はその回転中心である軸３２に軸支され、可動部材１３は回動部材１４に係合して力を伝達し、磁性体である円板状の永久磁石１１及び弾性部材であるコイルばね１２は可動部材１３の上下移動を制御するものである。
【００４２】
この回動部材１４は、下方空間部５２の上方左右に配置され、可動部材１３は、下方空間部５２の下方中央に配置されるものである。尚、本実施例において回動部材１４及び可動部材１３は、予め前側下部部材３ａに配置されている。そして、この回動部材１４は、図４に示すように、略断面Ｌ字状で左右外方に配置される透孔１４ｂを一端近傍に備えている。又、この回動部材１４は、他端の左右外側の面に鉤部１４ａを備え、左右内側の面の下方近傍に直方体形状の嵌合凸部１４ｃを備えているものである。そして、この回動部材１４は、透孔１４ｂに前側下部部材３ａの前側内面に垂設される軸３２が嵌挿されている。これにより、回動部材１４は、軸３２を回転中心として回動可能に下部部材３に収容される。尚、軸３２は、前側下部部材３ａ及び後側下部部材３ｂを接合する際、該軸３２と対向する位置に垂設される円筒状凹部に嵌挿される。
【００４３】
そして、可動部材１３は、中央に円板状の中央円板１３ａと、中央円板１３ａの下方に配置される円板状の下方円板１３ｃと、中央円板１３ａの上面より垂設される平板である嵌合部１３ｂとから成るものである。下方円板１３ｃは、中央円板１３ａよりも径が小さく肉厚に形成されている。そして、この下方円板１３ｃが中央円板１３ａと同心軸上に配置されることで、接合部に段差が形成される。又、嵌合部１３ｂは、回動部材１４の嵌合凸部１４ｃが左右外方から嵌合可能な嵌合凹部１３ｄを有しているものである。この嵌合凹部１３ｄは、嵌合凸部１４ｃの断面形状の大きさよりも僅かに大きい矩形状の貫通孔として形成されている。
【００４４】
又、図３（ａ）に示すように下方円板１３ｃの下面には、円板状の永久磁石１１が接着されて可動部材１３と一体となっている。これにより、永久磁石１１に磁力が作用すると、永久磁石１１と一体的に可動部材１３が移動することとなる。更に、下方円板１３ｃの外周には、下方円板１３ｃの外径よりも僅かに短い長さの内径を有するコイルばね１２が僅かに円周外方に弾性変形された状態で装着されている。又、このコイルばね１２は、上端が中央円板１３ａの下面と接触して下方からの弾性力を可動部材１３に伝達することができるように配置されている。
【００４５】
そして、可動部材１３及び回動部材１４は、嵌合凹部１３ｄに回動部材１４の嵌合凸部１４ｃが嵌合された状態で下方空間部５２に収容される。そして、可動部材１３が上方に移動すると、嵌合部１３ｂの嵌合凹部１３ｄの下面と回動部材１４の嵌合凸部１４ｃの下面が接触することにより、可動部材１３から回動部材１４に力が伝達されて、回動部材１４が軸３２を回転中心として回動することとなる。一方、可動部材１３が下方に移動すると、嵌合凹部１３ｄの上面と嵌合凸部１４ｃの上面が接触して、前述とは逆方向に回動部材１４が回動することとなる。
【００４６】
次に、本実施例に係る玩具１の変形動作を図１、図５及び図６に基づいて説明する。図５は玩具１の変形前の状態（第１形状）を示す図であり、図６は玩具１の変形後の状態（第２形状）を示す図である。そして、図５（ａ）、図６（ａ）は前後幅方向の中央における断面図であり、図５（ｂ）、図６（ｂ）は左右幅方向の中央における断面図である。
【００４７】
玩具１の下部部材３の曲面部６に配置される永久磁石１１の近傍に鉄板などの外部磁性部材が存在しない場合には、永久磁石１１が磁力により移動することはない。これにより、玩具１は下部部材３の下方空間部５２に配置されるコイルばね１２の弾性力により可動部材１３を上方へ押圧して移動させた状態が維持される。そして、この状態における当該玩具１は、図５（ａ）、（ｂ）に示すように、下方空間部５２に配置される回動部材１４の鉤部１４ａが外部部材２に固定される係止部材２１の鉤部２１ａによって係止されている。したがって、このとき玩具１は、図１（ａ）及び図５（ａ）、（ｂ）に示すように、外部部材２の収容空間１５内に下部部材３が収容された転動操作可能な略球形の形状である第１形状が維持される。
【００４８】
この際、図５（ａ）、（ｂ）に示すように、外部部材２の矩形突起部２６によって嵌合固定される直方体部２５の中央から延在する棒材２４に装着されて上端及び上端近傍が接着されているコイルばね２０が、下部部材３の弾性部材支持板３６に下端を支持されて、上下方向に圧縮された状態で収容されている。そのため、この状態においてコイルばね２０は、棒材２４及び直方体部２５を介して外部部材２を上方へ押圧すると共に、弾性部材支持板３６を介して下部部材３を下方へ押圧している。
【００４９】
しかしながら、この玩具１は、前述のように直方体部２５より延在する係止部材２１の鉤部２１ａと、下部部材３の軸３２を回転中心として枢設される回動部材１４の鉤部１４ａとが係合しているため、当該コイルばね２０の弾性力に抗して外部部材２と下部部材３との係止状態が維持されている。尚、この係止状態は、下部部材３の下方空間部５２に配置されるコイルばね１２が中央円板１３ａを付勢して可動部材１３を上方へ移動させた状態に支持し、可動部材１３が、嵌合凹部１３ｄの下面を回動部材１４の嵌合凸部１４ｃの下面に接触させることにより、回動部材１４の鉤部１４ａを外方へ移動させるように回動部材１４を回動させた状態として支持することにより、係止状態が維持されるものである。
【００５０】
又、このとき外部部材２の摺動壁２２が下部部材３の側面開口３０を覆っているため、突出部材４の側方外面の一部と該摺動壁２２とが接触している。これにより、軸３５を回転中心とする突出部材４が、ねじりコイルばね４０の弾性力に抗して下部部材３の内方に収容されている。
【００５１】
そして、磁性体である永久磁石１１を下部部材３の下面であって外部部材２と共に球面を形成する曲面部６の直近に設けているため、図６（ａ）、（ｂ）に示すように、下部部材３の下方空間部５２に配置される可動部材１３に接着固定されている永久磁石１１の近傍に、例えば平面台などに載置される走行装置の走行面の特定位置に設けられた外部磁性部材である鉄板５が存在する場合には、永久磁石１１と鉄板５とが引き合うような磁力が作用する。
【００５２】
かかる磁力の作用により、玩具１の下部部材３の下方空間部５２に配置される永久磁石１１及び可動部材１３が、コイルばね１２の弾性力に抗して一体的に下方に移動するため、嵌合部１３ｂの嵌合凹部１３ｄの上面が回動部材１４の嵌合凸部１４ｃの上面と接触して、この嵌合凸部１４ｃの上面を下方へ押圧する。これにより、回動部材１４が軸３２を回転中心として鉤部１４ａが内方へ移動するように回動して、外部部材２と下部部材３の係止状態が解除されることとなる。
【００５３】
この結果、下部部材３の弾性部材支持板３６及び外部部材２の直方体部２５を介してコイルばね２０の弾性力が下部部材３及び外部部材２に作用し、外部部材２が固定された状態にあっては、下部部材３が下方に摺動して飛び出し、逆に下部部材３が固定された状態にあっては、外部部材２が上方に勢いよく上昇することとなる。
【００５４】
そして、外部部材２と下部部材３の係止状態が解除されると、外部部材２と下部部材３が瞬時に離隔移動して摺動壁２２の下端から側面開口３０が開放される。したがって、突出部材４は、第１形状にあっては、外部部材２の摺動壁２２によって下部部材３の側方空間部５１に収容されているが、外部部材２と下部部材３の係止状態が解除されることで、突出部材４の下端が側方から上方へ円弧を描くように回動して、該突出部材４が下部部材３より突出してくる。
【００５５】
このため、ねじりコイルばね４０の弾性力が、突出部材４を介して外部部材２に伝達されて、外部部材２と下部部材３の相対距離を拡げる方向に力が加わる。したがって、この玩具１は外部部材２と下部部材３とが所定の距離だけ離隔した状態である第２形状が維持される。即ち、この玩具１は、第１形状から係止状態が解除されると、外部部材２に取り付けられたコイルばね２０の弾性力によって瞬時に第２形状の状態となり、更に下部部材３に枢設される突出部材４も下部部材３から突出して第２形状の状態が維持される。
【００５６】
したがって、この玩具１は、下部部材３の下方に配置される磁性体に外部磁性部材が近接することにより、図１（ａ）に示した略球形の形状である第１形状から図１（ｂ）に示したキャラクタの形状である第２形状へと瞬時に変形して、その状態が維持されるものである。
【００５７】
尚、図６（ｂ）に示すように突起部３３が下部部材３の前後面上端から外方に突出するように延設されている。これにより、外部部材２及び下部部材３が夫々上下方向に離隔移動する際、所定の離隔距離において該突起部３３の下面が外部部材２の孔部縁端２７の前後の辺に相当する内壁と係合するため、離隔距離が制限される。このため、外部部材２と下部部材３とが、分離してしまうことはない。
【００５８】
そして、本実施例に係る玩具１は、転動走行させて走行面の特定位置に設置される鉄板５と玩具１の永久磁石１１を磁性的に反応させて遊ぶことが好適である。そして、この玩具１は、転動走行する当該玩具１が走行面に設置される鉄板５の略真上に位置し且つ玩具１の下方に当該永久磁石１１が位置して永久磁石１１が鉄板５と近接した場合においてのみ、当該永久磁石１１が下方に設置される鉄板５に吸引される。これにより、この玩具１は、下部部材３の下端を鉄板５に吸着させた状態となって、外部部材２と下部部材３の係止状態が解除されるため、玩具１の転動走行が停止すると共に下部部材３が走行面により下方への移動を制限されて下方へ飛び出すことができず、外部部材２が上方へ飛び出す（即ち、解除された弾性力によって付勢されることにより孔部１０から飛び出した下部部材３が、磁力が作用した位置において外部部材２を押し上げる動作を実行する）こととなり、外部部材２に顔などを描いた場合は人形が立ち上がったように見えることになる。
【００５９】
又、本実施例においては、外部部材２に取り付けられたコイルばね２０によって外部部材２と下部部材３を勢いよく離隔させた後、ねじりコイルばね４０によって付勢する突出部材４により、第２形状を維持させているが、コイルばね２０を弾性部材支持板３６により支持して第２形状を維持してもよく、又、コイルばね２０によって所定の距離を離隔させた後、複数個の弾性部材を利用して、更に距離を離隔させるように複数段階に離隔移動が行われるようにしてもよい。
【００６０】
そして、玩具１の形状を、第２形状から第１形状に復元するには、先ず、ユーザはねじりコイルばね４０の弾性力に抗して下部部材３を外部部材２の孔部１０を介して収容空間１５内へ押入する。次いで、ユーザが押入途中で加わるコイルばね２０の弾性力に抗して下部部材３を外部部材２の収容空間１５内へ更に押入すると、外部部材２の係止部材２１の下端が下部部材３の回動部材１４の上端を押圧し、下部部材３の下方空間部５２に配置されるコイルばね１２の弾性力に抗して回動部材１４が鉤部１４ａを内方へ移動させるように回動して、係止部材２１が更に下方へ移動する。これにより、外部部材２の係止部材２１と下部部材３の回動部材１４とが係合して、外部部材２と下部部材３が再び係止状態となる。かかる操作により、玩具１は略球形の形状である第１形状に復元され、再度磁力が作用するまで玩具１の第１形状は維持されることとなる。
【００６１】
尚、本実施例においては、係止部材２１を直方体部２５側である上端を固定端とし、鉤部２１ａ側である下端を自由端とした弾性変形可能な板ばねから成る弾性部材で形成しているため、係止部材２１の下端と回動部材１４の上端が接触した際には、回動部材１４を係止部材２１が押圧して回動させるのみならず、係止部材２１自身も下端が外方へ弾性変形するため、係止状態への移行をスムーズに行うことができる。
【００６２】
以上説明した本実施例に係る玩具１は、磁性体である永久磁石１１との間で磁性的に反応する外部磁性部材が永久磁石１１に近接して存在していないときは、コイルばね２０の弾性力に抗して係止手段である係止部材２１並びに回動部材１４及び可動部材１３により外部部材２の収容空間１５内に下部部材３を保持することによって転がし操作可能な略球形の外形形状を維持することができる。又、この玩具１は、外部磁性部材との間で永久磁石１１に磁力が作用したときは、永久磁石１１の移動に連動して係止手段である可動部材１３が下方へ移動すると共に回動部材１４が回動することにより係止状態が解除され、下部部材３が解除された弾性力によって付勢されて孔部１０から下方に飛び出すことのできるように構成されてなるものである。
【００６３】
これにより、この玩具１は、略球形の第１形状にあるときユーザの転がし操作に応じて略球形の形状を維持した状態で走行面上を転がって移動し、外部磁性部材である鉄板５が配置された位置で第２形状に変形することができる。このため、ユーザは様々な場所でこの玩具１を転がして、身近な外部磁性部材に永久磁石１１を近づけさせれば、変形させることができるため、気軽に遊戯を楽しむことができる。
【００６４】
そして、転動自在の磁力展開式玩具に対して、特に上下方向への動きを大きくしてダイナミックな変形を実現させることにより、玩具の商品価値をより向上させ、ユーザに新鮮な驚きや知的興奮を与えると共に、複雑な変形を要せず製品の部品点数を抑えて玩具を構成することが可能となるため、製造コスト及び製造工数を低減できる。
又、磁性体を永久磁石１１とすることにより、磁性体は磁石としての性質を比較的長期にわたって保持し続けることができ、更に、外部磁性部材を鉄板５とすることにより、ユーザは様々な場所で当該玩具１を用いて手軽に遊ぶことができる。
【００６５】
そして、本実施例に係る玩具１は、突出部材４を下部部材３に備えて、玩具１の変形の際、下部部材３の飛び出し移動と連動して側方に突出部材４を突出させる動作を実行可能な構成としているため、上下方向への動きのみならず、側方への動きを持たせて変形の態様に拡がりを持たせることができる。尚、本実施例において突出部材４は、下部部材３に枢設して、回動移動により側方へ突出させる構成を採用したが、直線移動により側方へ突出させてもよく、左右のみならず前後方向に突出させてもよい。
【００６６】
又、玩具１がキャラクタ形状である第２形状から略球形の形状である第１形状へと復元自在な構成とされており、しかも、外部部材２の収容空間１５内に下部部材３を収容して玩具１を略球形の第１形状へと復元させた場合に外部部材２と下部部材３の係止手段による係止状態が実現され、その球形形状が再度維持されることとなる。したがって、磁力の作用により玩具１が第１形状から第２形状へと変形した後においても、ユーザは玩具１を転動自在な球形形状に復元して再使用することができるので、繰り返し遊戯を行うことができる。
【００６７】
更に、この玩具１は身近な外部磁性部材を利用して遊戯を楽しむことができるものであるが、より楽しむための遊戯例として、以下に好適な遊戯方法について説明する。玩具１を転動走行させるための、走行面６１ａを有する走行装置６０として、図７に示すようなものがある。図７（ａ）は走行装置６０の平面図であり、図７（ｂ）は走行装置６０の正面図である。この走行装置６０の走行面６１ａは、円環状で中心軸を回転中心として回転するものであって、走行面６１ａの下面の特定の複数箇所に鉄板５が配置されているものである。そして、第１形状にある玩具１が転がって移動する際、この走行面６１ａは緩やかに回転しており、玩具１が走行面６１ａの下面に配置された鉄板５の真上を通過する際に、転動している玩具１の下部部材３の曲面部６に配置された永久磁石１１が下方に位置して鉄板５に近接すると、この玩具１は永久磁石１１に磁力が作用して第２形状に変形する。
【００６８】
この走行装置６０は樹脂等から成る中空円筒状の筺体と、レバー６３と、載置台６４と、を備え、この筺体は、中心軸を回転軸として回転可能な回転板６１と、該回転板６１の周囲に設けられる外壁６２と、前記回転板６１を回転させる駆動装置を有するものである。又、この走行装置６０は、レバー６３を操作すると、筺体に内蔵される駆動装置によって回転板６１が回転するように構成され、回転板６１の円環状の上面を走行面６１ａとしているものである。
【００６９】
レバー６３は、中空状であって、筺体に枢設されるものであり、上面に円形開口である入口孔６３ａが形成され、走行面６１ａ側の側面に出口孔６３ｂが形成され、内部に保持手段を備えているものである。そして、入口孔６３ａ及び出口孔６３ｂは第一形状である玩具１の径よりも大きい開口となるように形成され、又、保持手段は、扇状の回動部材や図示しない歯車等から成り、レバー６３が外方へ傾倒されると、レバー６３とは逆方向に扇状の回動部材が傾倒されるように構成されているものである。
【００７０】
駆動装置は、レバー６３の下端に固定されて筺体の側面開口より挿入されるカム６５と、カム６５の移動に連動して回動可能なように筺体の下面に枢設される従動部６６と、従動部６６の回動に連動して筺体内の図示しない台座上を摺動可能に設置されるラック６７と、ラック６７の摺動移動に連動して回転可能なように枢設される第１歯車６８と、第１歯車の回転に連動して回転可能に回転板６１の中心軸に固定される第２歯車６９と、から構成されているものである。
【００７１】
したがって、レバー６３が操作されると、この駆動装置により回転板６１が回転することとなる。そして、第１歯車６８とラック６７には動作方向を一方に制限するようなラチェット機構を採用することにより、レバー６３の操作に連動して回転する回転板６１を惰性でしばらくの間回転させることができる。尚、駆動装置は、レバー６３の操作に連動して動作するモータを動力源としてもよい。
【００７２】
そして、回転板６１は、第２歯車６９と共通の枢軸を回転中心として回転するものであり、円環状の走行面６１ａと、中央に略中空半球状の半球部６１ｂを有しているものである。又、この回転板６１は、半球部６１ｂに第２歯車６９の枢軸の上端が固着されると共に、３本の補強軸の上端が合せて固着されて安定的に回転することのできるように構成されているものである。尚、補強軸は、下端を第２歯車６９の枢軸を中心として枢軸に固着される円板に固定されているものである。更に、この回転板６１の走行面６１ａに描かれる図柄６１ｃの下面には、外部磁性部材である鉄板５が固着されている。
【００７３】
以下、この走行装置６０を用いた遊戯の手順を説明する。
ユーザは、載置台６４に置かれている第１形状の玩具１を先ず走行装置６０の入口孔６３ａから投入する。玩具１が投入されると、玩具１がレバー６３内を落下して出口孔６３ｂの近傍において、レバー６３内の保持手段によって保持される。次いで、ユーザが、レバー６３を外方へ傾倒すると、保持手段である扇状の回動部材が出口孔６３ｂの開口を拡げるように傾倒して、玩具１が出口孔６３ｂから排出される。尚、保持手段は、玩具１が出口孔６３ｂより排出されるように緩やかな斜面を形成しているため、レバー６３が操作されると、自然に玩具１が走行面６１ａに案内されることになる。
【００７４】
そして、レバー６３が操作されると、駆動装置が作動して走行面６１ａが回動する。又、同時にＬＥＤなどで光を点滅させたり、スピーカより音楽を流すような制御装置を設けたりしてもよい。そして、走行面６１ａ上に案内された玩具１は、走行面６１ａの外周である外壁６２や、中心に配置する半球部６１ｂに衝突して移動方向を変化させながら走行面６１ａの上を転動走行する。
【００７５】
そして、玩具１の下面である曲面部６に配置される永久磁石１１が、走行面６１ａの鉄板５の設置される特定位置である図柄６１ｃに近接して鉄板５との間で磁力が作用すると、当該玩具１はその磁力が作用した位置で転がり動作を停止して瞬時に第２形状へと変形する。尚、本実施例における走行装置６０の走行面６１ａの特定位置には複数の異なるキャラクタの顔が図柄６１ｃとして描かれており、その裏面にキャラクタの顔と略同じ大きさの鉄板５が設置されている。
【００７６】
そして、複数のユーザが順番に玩具１を走行面６１ａに投入していき、変形した場所におけるキャラクタの図柄６１ｃと同じキャラクタのカードをユーザが受けとることとする。更にユーザに一度配られたキャラクタのカードに対応するキャラクタの図柄６１ｃ上で玩具１が再度変形しても、そのキャラクタのカードをユーザが受けとることができないこととする。そして、最終的にカードが無くなった時点で遊戯を終了とし、そのときカードを一番多く持っていたユーザが勝利するというようなルールを予め定めておけば、複数のユーザで楽しむことのできる遊戯として走行装置６０及び玩具１を用いることができる。
【００７７】
この走行装置６０を用いると、走行面６１ａ上を玩具１が転動走行すると共に、走行面６１ａも回動するため、ユーザは玩具１がどのキャラクタの図柄６１ｃの位置で変形するかを全く予想することができない。そして、走行面６１ａの複数箇所に設けた鉄板５の位置を当該玩具１が走行する際、下部部材３の曲面部６が走行面６１ａと接するときに玩具１の永久磁石１１が外部磁性部材である鉄板５に吸着して、玩具１が第２形状に変形してキャラクタが立ち上がったように見せることができる。したがって、複数の特定箇所の何れかで不意に玩具１を立ち上がらせることができるため、走行面６１ａが回転しない場合に比べ、ユーザをより高揚させることができるものである。
【００７８】
そして、本発明は、以上の実施例に限定されるものでなく、発明の要旨を逸脱しない範囲で自由に変更、改良が可能である。
例えば、以上の実施例においては、玩具の第１形状として球形形状を採用した例を示したが、円筒状やラグビーボール形状のように回転対称体形状の外殻に構成することで転動可能な他の形状を玩具の第１形状として採用することもできる。又、玩具の第２形状は特に限定されることはなく、種々の形状を採用することができる。更に、以上の実施例においては、弾性部材としてコイルばねやねじりコイルばねを採用した例を示したが、ゴムや板ばね等の他の弾性部材を採用することもできる。
【００７９】
そして、以上の実施例においては、玩具内の磁性体を吸引して、係止状態を解除することのできる係止手段を設けた例を示したが、磁性体の移動の態様や、係止手段を構成する各部材の機構態様はこれに限定されるものではなく、外部磁性部材の磁極と玩具内の磁性体の磁極とを互いに反発させる等により玩具内の磁性体を玩具の内方に移動させて変形を実現させるような構成を採用することもできる。
【００８０】
又、以上の実施例においては、外部磁性部材を鉄板とし、玩具内の磁性体を永久磁石とした例を示したが、外部磁性体を永久磁石とし、玩具内の磁性体を鉄板としてもよい。即ち、相互に磁力が作用する部材を夫々に設けることで変形を実現させることができる。
【００８１】
又、以上の実施例においては、キャラクタに応じて、胴体部となる下部部材の構成を変形することが可能である。例えばキャラクタが動物の場合、実施例における突出部材４の回動機構を応用して下部部材３の飛び出しと共に尻尾が後ろに飛び出すようにしてもよい。更に動物キャラクタの頭部となる上部部材としての外部部材２に例えば角部を付加し、下部部材３が内部に収容されているとき外殻とともに回転対称体を構成するように折り畳み、係止機構と連動して角が上方に飛び出す構成を付加してもよい。
【図１】
0005391084.tif 000002
【図２】
0005391084.tif 000003
【図３】
0005391084.tif 000004
【図４】
0005391084.tif 000005
【図５】
0005391084.tif 000006
【図６】
0005391084.tif 000007
【図７】
0005391084.tif 000008